(57)【要約】【課題】本発明は、浴室の床面と空気を適切に暖め、快適に入室することが可能な浴室の暖房装置を提供することを目的としている。【解決手段】本発明にかかる浴室の暖房装置の代表的な構成は、ノズル２７から散湯することによって浴室１０を暖める浴室の暖房装置において、ノズル２７をカラン１３の下方に設置されたカウンター１５の前面かつ上方に配置したことを特徴とする。【選択図】図１
2008089216.tif 000002
【特許請求の範囲】
【請求項１】
ノズルから散湯することによって浴室を暖める浴室の暖房装置において、
前記ノズルを水栓の下方に設置されたカウンターの前面かつ上方に配置したことを特徴とする浴室の暖房装置。
【請求項２】
前記ノズルは、前記カウンターの左右方向において、浴室の出入口に近い側の端部近傍に配置したことを特徴とする請求項１記載の浴室の暖房装置。
【請求項３】
前記ノズルには、前記水栓に給湯する給湯管を前記カウンターの内部で分岐して、該カウンターの内部を通じて給湯することを特徴とする請求項１記載の浴室の暖房装置。
【請求項４】
ノズルから散湯することによって浴室を暖める浴室の暖房装置において、
前記ノズルを浴室の壁面に設置された手摺りに設置したことを特徴とする浴室の暖房装置。
【請求項５】
前記ノズルには、前記手摺りの内部を通じて給湯することを特徴とする請求項４記載の浴室の暖房装置。
【発明の詳細な説明】
【技術分野】
【０００１】
本発明は、浴室の暖房装置に関するものである。
【背景技術】
【０００２】
浴室は通常の室内暖房が行き届く範囲ではなく、まして脱衣して入る場所であるから寒さを感じやすいため、冬期ともなれば入ることを躊躇するものである。そのため快適な入浴を実現するために浴室を入浴前に暖める要請があるが、結露が著しい場所であるため空調機の設置は難しい。そのため、従来から湯を散布することによって浴室を暖房するための様々な提案がなされている。
【０００３】
例えば特開平４−２４４５２６号（特許文献１）には、水栓の下方に設置されたカウンターの下部の床近傍に、浴室の床上面に湯を散布するための散湯ノズルを設けた暖房装置が開示されている。実開昭６１−１０６８２１号（特許文献２）には、体を洗うシャワーの他に散湯用のノズルを浴室の壁面の高所に設けた構成が開示されている。特開平３−２１７７２５（特許文献３）には、浴槽エプロン部の下部に設けた散湯ノズルから散湯する構成が開示されている。
【特許文献１】特開平４−２４４５２６号公報
【特許文献２】実開昭６１−１０６８２１号公報
【特許文献３】特開平３−２１７７２５号公報
【発明の開示】
【発明が解決しようとする課題】
【０００４】
しかし、特許文献１や特許文献３に示されているように、床近傍にノズルが配置されていると、遠くまで湯が届きにくいため広範囲を暖めにくい。また、湯がすぐに床に落ちて流れていってしまうため、床は暖めやすい代わりに浴室内の空気は暖めにくい。さらに、体を洗う際の跳ね返りによってノズル付近が汚れやすいなどの不都合がある。これに対し特許文献２に示されるように高所にノズルが設けられていると、浴室内の空気を暖めるには良いが床が暖まりにくく、また浴室全体を濡らしてしまうために始末に悪いという問題がある。
【０００５】
そこで本発明は、浴室の床面と空気を適切に暖め、快適に入室することが可能な浴室の暖房装置を提供することを目的としている。
【課題を解決するための手段】
【０００６】
本発明にかかる浴室の暖房装置の代表的な構成は、ノズルから散湯することによって浴室を暖める浴室の暖房装置において、ノズルを水栓の下方に設置されたカウンターの前面かつ上方に配置したことを特徴とする。カウンターは通常、使用者の膝下程度の高さにあり、またその前面は壁面よりも浴室中央部に向かって突出した位置に配置される。従って、ノズルをカウンターの前面かつ上方に配置したことにより浴室全体に広範囲に散湯しやすく、またある程度の高さがあることから床面に落下するまでの間に浴室内の空気を暖めることができる。また、床面からある程度の高さがあることから、体を洗う際の跳ね返りによって汚れにくい。また位置が高すぎないため、浴室の内壁を不必要に濡らすことがない。さらにカウンターは水栓の直下にあるため、湯水の配管部材を短くすることができ、また配管部材の共通化を図ることができるため、部品コストおよび設置コストを抑えることができる。
【０００７】
ノズルをカウンターに設ける場合には、カウンターの左右方向において、浴室の出入口に近い側の端部近傍に配置することが好ましい。浴室への出入口近傍に散湯することにより、浴室へ入室した際の足下をより効果的に暖め、快適な入室を実現することができる。
【０００８】
ノズルには、水栓に給湯する給湯管をカウンターの内部で分岐して、カウンターの内部を通じて給湯することを特徴とする。分岐点は、水栓の下方であることが好ましい。これにより最短の経路によってノズルに給湯することができる。
【０００９】
本発明にかかる浴室の暖房装置の他の代表的な構成は、ノズルから散湯することによって浴室を暖める浴室の暖房装置において、ノズルを浴室の壁面に設置された手摺りに設置したことを特徴とする。この場合にもノズルの床面からの高さを確保することができ、浴室の床面と空気を適切に暖めることができる。
【００１０】
ノズルを手摺りに設ける場合には、手摺りの内部を通じて給湯することが好ましい。これにより浴室内における部材の増加を抑え、機能の追加にもかかわらず掃除のしやすさを担保し、また意匠的にも美観に優れている。
【００１１】
本発明にかかる浴室の暖房装置の他の代表的な構成は、ノズルから散湯することによって浴室を暖める浴室の暖房装置において、ノズルを浴槽のエプロンの上部に配置したことを特徴とする。この場合において、湯水の配管部材はエプロンと浴槽の間に配置される。上記構成によっても、ノズルの床面からの高さを確保することができ、浴室の床面と空気を適切に暖めることができる。
【００１２】
本発明にかかる浴室の暖房装置の他の代表的な構成は、ノズルから散湯することによって浴室を暖める浴室の暖房装置において、ノズルを浴室壁面の床から３０ｃｍ〜１００ｃｍの範囲の高さに配置したことを特徴とする。上記構成によっても、ノズルの床面からの高さを確保することができ、浴室の床面と空気を適切に暖めることができる。
【発明の効果】
【００１３】
本発明によれば、浴室の床面と空気を適切に暖め、快適に入室することが可能な浴室の暖房装置を提供することができる。
【発明を実施するための最良の形態】
【００１４】
［実施例１］
本発明にかかる浴室の暖房装置の実施例１について説明する。図１は実施例１にかかる浴室および暖房装置の構成を説明する図、図２は暖房装置のノズル近傍を説明する図である。なお、以下の実施例に示す寸法、材料、その他具体的な数値などは、発明の理解を容易とするための例示に過ぎず、特に断る場合を除き、本発明を限定するものではない。
【００１５】
図1に示すように、浴室１０には、浴槽１１、洗い場である床面１２、水栓であるカラン１３およびシャワー１４、カラン１３の下方に設置されたカウンター１５、手摺りの例としてのサポートバー１７が備えられている。カウンター１５は洗面器などを載置するための台であって、その上面は膝下程度の高さになっている。カウンター１５の前面は壁面よりも浴室中央部に向かって突出した位置に配置され、カウンター１５の下部は壁面に向かって後退している。
【００１６】
浴室の暖房装置は、浴室の天井裏に配置された制御部２０、カウンター１５の内部に散湯ユニット２１、浴室の外部にコントロールユニット２２によって構成される。使用者はコントロールユニット２２を操作することによって制御部２０を動作させる。制御部２０は散湯ユニット２１を制御して、所定の暖房処理を行う。
【００１７】
図２に示すように、散湯ユニット２１は湯を供給するための給湯管１６ａに接続された電磁弁２８ａ、冷水を供給するための給水管１６ｂに接続された電磁弁２８ｂ、湯水を噴出するためのノズル２７を備えている。制御部２０が電磁弁２８ａ、２８ｂを制御することにより、給湯管１６ａおよび給水管１６ｂから湯水が混合して供給され、ノズル２７から噴出、または噴出を停止される。このようにノズル２７には、カラン１３に給湯する給湯管をカウンター１５の内部で分岐して、カウンター１５の内部を通じて給湯する。分岐点はカウンター１５の内部であればよいが、カラン１３の下方であることが好ましい。これにより、最短の経路によってノズル２７に給湯することができる。
【００１８】
ノズル２７は、図１に示したように、カウンター１５の前面かつ上方に設けられている。上方とはカウンター１５の天面近傍を意味しており、カウンター１５の前面の高さ（上下幅）がノズル２７の高さと大差ない場合には、単にカウンター１５の前面にノズルを設けることでよい。
【００１９】
またノズル２７は、カウンター１５の左右方向において、浴槽１１から離れた側の端部近傍に配置している。浴室への出入口である扉１９は浴室１０において浴槽１１の反対側にあり、ノズル２７から噴出した湯水は、扉１９近傍の床面１２に対して効率的に散湯することができる。
【００２０】
上記構成によれば、ノズル２７をカウンター１５とほぼ同じ高さに設置することとなり、床面１２からある程度の高さを確保することができる。このことから散布した湯水が床面１２に落下するまでの間に浴室内の空気を暖めることができ、また広範囲に湯を到達させることができる。また、床面からある程度の高さがあることから、体を洗う際の跳ね返りによってノズル２７が汚れることを防ぐことができる。一方、ノズルの位置が高すぎないため、浴室の内壁を不必要に濡らすことがない。
【００２１】
また、カウンター１５はカラン１３の直下にあるため、散湯ユニット２１に湯水を供給する給湯管１６ａ、給水管１６ｂはカラン１３に湯水を供給する配管を分岐、延長して形成でき、配管部材を短くすることができる。また様々な場所に設置する場合に比べてカウンター内の散湯ユニット２１とカラン１３との位置関係は変動しないため、配管部材の共通化を図ることができ、部品コストおよび設置コストを抑えることができる。
【００２２】
さらに、ノズル２７を浴槽１１と反対側に配置したことにより、浴室１０へ入室した際の足下をより効果的に暖めることができる。
【００２３】
［実施例２］
本発明にかかる浴室の暖房装置の実施例２について説明する。図３は実施例２にかかる浴室および暖房装置の構成を説明する図、図４は実施例２の他の構成を説明する図である。上記実施例１と説明の重複する部分については同一の符号を付して説明を省略する。
【００２４】
上記実施例１はカウンター１５にノズル２７を設けるよう説明したが、実施例２は浴室内の手摺りにノズルを設けた構成について説明する。
【００２５】
図３に示すように、本実施例においてノズル２９は、サポートバー１７に設けられている。ノズル２９は、サポートバー１７のうち浴槽１１と反対側、すなわち扉１９に近い位置に配置している。ノズル２９に湯水を供給する給湯管１６は、サポートバー１７の内部を通じて配管されている。給湯管１６の上流側は浴室の壁面内部へと接続されており、不図示の電磁弁によって湯水を供給または停止される。
【００２６】
サポートバー１７は使用者が立ち上がるとき、または浴室内を移動する際に手摺りとして使用されるものであるため、床面から高さ６０ｃｍ〜８０ｃｍの位置に設置される。従ってサポートバー１７に設置されたノズル２９は床面からの高さを確保することができ、ここから噴出した湯水は床面１２に落下するまでの間に浴室内の空気を暖めることができると共に、広範囲に湯を到達させることができる。
【００２７】
またサポートバー１７の内部に給湯管１６の配管を配置したことにより、浴室内における部材の増加を抑え、機能の追加にもかかわらず掃除のしやすさを担保し、また意匠的にも優れた美観を保つことができる。
【００２８】
図４は、縦に配置された手摺り１８にノズル２９を設けた例を示す図である。このように構成することによっても、上記と同様の効果を得ることができる。
【００２９】
［実施例３］
本発明にかかる浴室の暖房装置の実施例３について説明する。図５は実施例３にかかる浴室および暖房装置の構成を説明する図である。上記実施例１と説明の重複する部分については同一の符号を付して説明を省略する。本実施例は、ノズルを浴槽のエプロンに設けた構成について説明する。
【００３０】
図５に示すように、ノズル３０は、浴槽１１のエプロン３１の上部に配置している。給湯管１６は、エプロン３１の内側（エプロン３１と浴槽１１の間）に配置される。このように構成することによっても、ノズル３０の床面からの高さを確保することができ、浴室の床面と空気を適切に暖めることができる。特にこの構成は、カウンター１５と反対側に扉１９が配置されており、カウンター１５に設けたノズルでは入り口付近に湯を届かせにくい場合に有効である。
【００３１】
［実施例４］
本発明にかかる浴室の暖房装置の実施例４について説明する。図６は実施例４にかかる浴室および暖房装置の構成を説明する図である。上記実施例１と説明の重複する部分については同一の符号を付して説明を省略する。本実施例は、ノズルを浴室の壁面に設けた構成について説明する。
【００３２】
図６に示すように、ノズル３２は浴室１０の壁面３３に設けられており、給湯管１６は壁面３３の内部を通るように配置されている。ノズル３２の床面１２からの高さＨは、３０ｃｍ〜１００ｃｍの範囲の高さに設定している。またノズル３２は、浴室１０への出入口である扉１９の近傍に配置している。
【００３３】
このように構成することによっても、ノズル３２から噴出された湯水が床面１２に落下するまでの間に空気を暖めることができ、浴室の床面と空気を適切に暖めることができる。またこの構成も実施例３と同様に、カウンター１５と反対側に扉１９が配置されており、カウンター１５に設けたノズルでは入り口付近に湯を届かせにくい場合に有効である。
【００３４】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３５】
本発明は、浴室の暖房装置として利用することができる。
【図面の簡単な説明】
【００３６】
【図１】実施例１にかかる浴室および暖房装置の構成を説明する図である。
【図２】暖房装置のノズル近傍を説明する図である。
【図３】実施例２にかかる浴室および暖房装置の構成を説明する図である。
【図４】実施例２の他の構成を説明する図である。
【図５】実施例３にかかる浴室および暖房装置の構成を説明する図である。
【図６】実施例４にかかる浴室および暖房装置の構成を説明する図である。
【符号の説明】
【００３７】
１０   …浴室
１１   …浴槽
１２   …床面
１３   …カラン
１４   …シャワー
１５   …カウンター
１６、１６ａ  …給湯管
１６ｂ  …給水管
１７   …サポートバー
１８   …手摺り
１９   …扉
２０   …制御部
２１   …散湯ユニット
２２   …コントロールユニット
２７、２９、３０、３２   …ノズル
２８ａ  …電磁弁
２８ｂ  …電磁弁
３１   …エプロン
３３   …壁面
【図１】
2008089216.tif 000003
【図２】
2008089216.tif 000004
【図３】
2008089216.tif 000005
【図４】
2008089216.tif 000006
【図５】
2008089216.tif 000007
【図６】
2008089216.tif 000008